(57)【要約】  第一ロック部材（１０）と第二ロック部材（２０）とを具備しているフックロックであって、第一ロック部材（１０）がリング形状要素を備えていて、第二ロック部材（２０）がグリップ本体（２１）と、リング形状要素の中に挿入することのできるフックフィンガ（２２）とを備えており、第二ロック部材が手動で動かすことのできる保持トング（３０）を有していて、保持トング（３０）はフックフィンガ（２２）にほぼ平行かつ反対方向に延伸しており、保持トング（３０）は、保持ノーズ（４０）の保持面（４１）と係合する止め具（３１）を保持トング（３０）の自由端部に有していて、保持ノーズ（４０）の保持面（４１）は、第一ロック部材及び第二ロック部材が連結された状態において、保持トング（３０）に対面しているリング形状要素（１０）の側面に位置しており、保持トングは曲げられて保持ノーズ（４０）に対して付勢されている。第二ロック部材（２０）が保持トング（３０）とほぼ平行に延伸しているアーム（５０）を担持している。ロック部材（１０，２０）が離される場合に、アーム（５０）の自由端部（５１）は保持ノーズ（４０）を通り過ぎるように位置決めされている。アーム（５０）はフックフィンガ（２２）に向かって弾性的に付勢されている。アーム（５０）は、ロック部材（１０，２０）同士を連結する際に保持ノーズ（４０）によりフックフィンガ（２２）から離なされ、そしてロック部材（１０，２０）がお互いに完全に係合するとアーム（５０）は保持ノーズ（４０）から離なれて第一ロック部材を打撃し音を発生する。
2010517668.tif 000002
【特許請求の範囲】
【請求項１】
第一ロック部材（１０）と第二ロック部材（２０）とを具備しているフックロックであって、前記第一ロック部材（１０）がリング形状要素を備えていて、前記第二ロック部材（２０）がグリップ本体（２１）と、前記リング形状要素の中に挿入することのできるフックフィンガ（２２）とを備えており、
前記第二ロック部材が手動で動かすことのできる保持トング（３０）を有していて、前記保持トング（３０）は前記フックフィンガ（２２）にほぼ平行かつ反対方向に延伸しており、前記保持トング（３０）は、保持ノーズ（４０）の保持面（４１）と係合する止め具（３１）を前記保持トング（３０）の自由端部に有していて、前記保持ノーズ（４０）の保持面（４１）は、前記第一ロック部材及び第二ロック部材が連結された状態において、前記保持トング（３０）に対面している前記リング形状要素（１０）の側面に位置しており、前記保持トングは曲げられて前記保持ノーズ（４０）に対して付勢されているフックロックにおいて、
前記第二ロック部材（２０）が前記保持トング（３０）とほぼ平行に延伸しているアーム（５０）を担持していることと、
前記ロック部材（１０，２０）が離される場合に、前記アーム（５０）の自由端部（５１）は前記保持ノーズ（４０）を通り過ぎるように位置決めされていることと、
前記アーム（５０）は前記フックフィンガ（２２）に向かって弾性的に付勢されていることと、そして
前記アーム（５０）は、前記ロック部材（１０，２０）同士を連結する際に前記保持ノーズ（４０）により前記フックフィンガ（２２）から離なされ、そして前記ロック部材（１０，２０）がお互いに完全に係合すると前記アーム（５０）は前記保持ノーズ（４０）から離されて前記第一ロック部材を打撃し音を発生することと、
を特徴とするフックロック。
【請求項２】
前記保持ノーズ（４０）がノッチ（６０）を有していて、前記ノッチ（６０）は、前記ロック部材（１０，２０）が離なれるときに前記アーム（５０）と協働していて、そして前記ノッチ（６０）は前記リング形状要素（１０）の長手軸に対して傾斜している第一壁面（６１）を有しており、そして、前記第一壁面（６１）は、前記アーム（５０）の自由端部に接触するときに前記アーム（５０）の自由端部を前記フックフィンガ（２２）から横方向に、すなわち前記アーム（５０）のたわみ方向に垂直な方向にかたよらせることを特徴とする、請求項１に記載のフックロック。
【請求項３】
前記ノッチ（６０）が第二壁面（６２）を有していて、前記第二壁面（６２）は前記第一壁面（６１）に向き合っており、そして前記第一壁面から離なれる方向に前記ノッチ（６０）の底部から上向きに傾斜していて、そして前記アーム（５０）を前記ノッチの底部から持ち上げるようになっていることを特徴とする、請求項２に記載のフックロック。
【請求項４】
前記第二壁面（６２）は、前記ロック部材（１０，２０）を離すときに前記アーム（５０）を前記ノッチ（６０）から持ち上げて引き出せるように配置されていて、前記アーム（５０）が自身の付勢力で前記第一壁面（６１）の上方にもどることを可能にしていることと、
前記アーム（５０）の自由端部は、前記ロック部材（１０，２０）が連結されるときに前記第一壁面（６１）に近接されていて、前記ロック部材（１０，２０）が完全に連結されたときに、前記アームの自由端部（５１）は前記保持ノーズの作動による衝撃により音をたてて前記ノッチ（６０）の底部を打撃することを特徴とする、請求項３に記載のフックロック。
【請求項５】
前記アーム（５０）の自由端部（５１）が、前記第一壁面（６１）にほぼ平行な傾斜した端面を有していることを特徴とする、請求項２−４のいずれか一項に記載のフックロック。
【請求項６】
前記アーム（５０）が前記アーム（５０）の長手方向の中央部分に曲がりを有していて、前記アーム（５０）は前記ロック部材（１０，２０）の連結がはじまるときには、前記グリップ本体（２１）に対して曲り部分（５３）で支持され、前記曲り部分と前記アームの取り付け点との間のアーム部分が、保持ノーズ（４０）に接触することのない延伸部分となっているので、前記曲り部分と前記アームの取り付け点との間のアーム部分は、前記ノッチを通過する際に、前記ノッチに係合することはなく、そして前記ロック部材（１０，２０）が連結しているときには、前記アームは横方向にスプリングバックが可能なので、前記第一壁面（６１）の上端部を通過することができ、そして、前記ロック部材（１０，２０）が完全に連結すると前記アームの端部（５１）は前記ノッチ（６０）の底面を音をたてて打撃することを特徴とする、請求項１−５のいずれか一項に記載のフックロック。
【請求項７】
横方向に傾斜した前記アーム（５０）が通過する前記傾斜壁面の端部は、前記アームが前記リング形状要素へ向かって付勢される方向に平行であって、かつ前記アーム（５０）の接触する側面に平行であることを特徴とする、請求項２−６のいずれか一項に記載のフックロック。
【請求項８】
前記アーム（５０）がほぼ長方形の断面を有していることを特徴とする、請求項２−７に記載のフックロック。
【発明の詳細な説明】
【技術分野】
【０００１】
本発明は請求項１の前文に規定されているフックロックに関するものである。
【０００２】
本発明は特許文献１に開示されている一般的なフックロックに関連するものである。
【０００３】
周知なフックロックは、特許文献１に記載のだっこひもにも適切なものである。
【背景技術】
【０００４】
そのようなだっこひもは使用者の上体にまとうもので、前面部品を支持していて、その下部の中央部分はだっこひもに接続され、そしてその上部の横方向部分はフックロックによりだっこひもの胸使用ストラップそれぞれに着脱可能に接続される。フックロックは第一ロック部材と第二ロック部材とを備えていて、第一ロック部材はリング形状、好ましくは細長くして水平なリング形状であって、第二ロック部材がフックフィンガを支持しており、フックフィンガは第一ロック部材に受容されるべく下向きになっている。第二ロック部材はだっこひもの前面部品の上部両側面を支持している。第二ロック部材がグリップ本体を有していて、使用者は手でグリップ本体をつかんで操作できるようになっている。さらに、第二ロック部材がサポートトングを備えていて、サポートトングは身体に近づけたり遠ざけたりできるように曲げることができ、そしてグリップ本体により支持することができフックフィンガの長手方向にほぼ平行な方向に延伸する。保持トングが自由端部の近くに止め具を有していて、その止め具は保持ノーズの下で保持トングに対面しているリングの側面に係合している。第二ロック部材の保持フックが第一ロック部材のリングに完全に係合するとき、保持トングは保持ノーズの下に係合する位置に弾性的に付勢される。使用者は、一方の手でグリップ本体をつかむことができ、保持トングを保持位置から曲げて離なすことができ、第二ロック部材を第一ロック部材からはずすことができる。保持機構は、二つのロック部材がお互いに完全に係合する際の保持トングの付勢力による自動的なものである。
【０００５】
そのようなフックロックの使用者は、フックフィンガがリングと完全に係合したかどうか確認したいと思っている。このことがだっこひもに関して、とくに興味のある問題である。
【０００６】
従来技術においても、ロック部材が完全に係合すると音を発生するだっこひもが時に見受けられた。もし保持トングが拘束されていないなら保持トングが保持ノーズを通過するときに、保持トングはばね付勢力により第一ロック部材に対して迅速に駆動されるので音が発生する。しかしながら問題があって、フックロックの使用者は、フックフィンガを第一ロック部材の中に挿入する場合、グリップ本体に取り付けられている第二ロック部材の保持トングをつかんでしまう。そのためカチッという音は、保持トングが解放されても（ロック部材がお互いに完全係合されても）発生されない。
【先行技術文献】
【特許文献】
【０００７】
【特許文献１】スウェーデン国特許第５１６１０８号明細書
【特許文献２】国際公開第０１／８４９８４号パンフレット
【発明の概要】
【発明が解決しようとする課題】
【０００８】
本発明の目的は、フックロックを提供するものであって、第二ロック部材が第一ロック部材の中に完全に挿入された場合、そして第一ロック部材と第二ロック部材とが連結されていて使用者が保持トングをグリップ本体に対して操作しても、フックロックは必ず音を発生するようになっている。さらに、本発明の目的は、特に好適な実施形態を提供する。
【課題を解決するための手段】
【０００９】
本発明の目的は、本発明により達成されている。本発明は特許請求の範囲における独立請求項に規定されているものである。
【００１０】
本発明の実施の形態は特許請求の範囲における従属請求項に規定されている。
【００１１】
以下に本発明における実施形態を図面を参照して例示する。
【図面の簡単な説明】
【００１２】
【図１】図１は、フックロックの全体図である。
【図２】図２は、図１における矢視ＩＩ−ＩＩから見た断面図であって、本発明のフックロックを表わしている。
【図３】図３は、図２における矢視ＩＩＩ−ＩＩＩから見た断面図である。
【図４】図４は、図２における矢視ＩＶ−ＩＶから見た断面図である。
【発明を実施するための形態】
【００１３】
図２には、赤ちゃんを背負うためのだっこひも（baby carriers）の垂直な胸部用ストラップ１と、垂直なパイプで作られた第一ロック部材１０とが図示されて、第一ロック部材１０は第二ロック部材２０に取り付けられた垂直方向で下向きのフックフィンガ２２を受容しており、第二ロック部材２０はグリップ本体２１を有していて、グリップ本体２１はだっこひもの前方部材２の上端部に接続されている。グリップ本体２１はフックフィンガ２２から横方向に突出していて、ロック部材２０を管状のスリーブ形状である第一ロック部材１０から簡単に引きぬくために手で簡単につかむことができる。ロック部材２０はその下部に保持トング３０を担持していて、保持トング３０はスリーブ部材１０に向けて付勢されている。図２に図示するように、フックロックが完全に一体となった状態において、アーム３０における上向きの端部３１が保持ノーズ４０の下向きの保持面４１と係合していて、保持ノーズ４０はグリップ本体２０，２１に面しているスリーブ１０の側面に取り付けられている。フックフィンガ２２がスリーブ１０の中へ上から下へ向かってそう入される場合、アーム３０は最初にロック部材２０に向かって押し付けられ、フックフィンガ２２がスリーブ１０の中へ完全にそう入されると、アーム３０は、図２に図示するように、ノーズ４０と係合状態になる。その状態において、カチッという音がして、その音は第一、第二ロック部材１０，２０がお互いに正しく係合していることを示している。保持アーム３０がグリップ本体２１の一つに対応する平面の延伸部分を有していて、そして使用者の手によりしばしばロック部材２０とロック部材１０との結合部分においてグリップ本体２１に締め付けられる。
【００１４】
図２及び３に示めすように、ロック部材２０がアーム５０を担持していて、そのアーム５０はフックフィンガ２２にほぼ平行であって、そしてロック部材２０の下部に接続された下端部を有している。アーム５０の上端部５１は保持ノーズ４０の真下に位置している。アーム５０はスリーブ１０に接触するように付勢されており、そして上端部を有しており、その上端部は、ロック部材２０をロック部材１０から引きぬく場合（使用者は保持トング３０折りたたみ、保持面４１との係合を解除しなければならない）、アームの自由端部５１が保持ノーズ４０を通過することができ、従ってロック部材２０をスリーブ１０から引き抜くことを妨げないように配置され位置決めされている。ロック部材２０がロック部材１０に結合され、そしてフックフィンガ２２がスリーブ１０と完全に係合すると、アーム５０は保持ノーズ４０からはずれ、そしてそのばね付勢によりスリーブ１０と接触し、音が発生するようになっていて、このことはフックロックの使用者がグリップ本体２１に対して曲げられた保持トング３０を依然としてつかんでいるかどうかということとは無関係である。この音により、使用者はフックロックのフックフィンガ２２がスリーブ１０と完全に係合したことを確認することができる。
【００１５】
特別な実施形態において、保持ノーズ４０はグリップ本体２１に対面している側面にノッチ６０を有していて、その一方の側壁面６１がスリーブ１０の長手方向に対して傾斜している。アーム５０の自由端部５１はそのノッチの中へガイドされていて、そのためプレート状の把持トング２１の面内で横方向に曲げられ、そしてノッチの上端部、すなわちノーズ４０の上端部においてアーム５０はノッチをはずれそして横方向にスプリングバックして歪がなくなる。ノッチと反対の壁面６２はノッチの三角形状の底辺から横方向上向きに傾斜し、横方向にそれたアームと接触するとノッチの底辺から同じく上向きに上昇するために第一壁面６１からはなれてゆく。
【００１６】
さらに、アーム５０はその長手方向中央部分において曲げられていて、ロック部材１０，２０が離間する際にアームの自由部分５５が保持ノーズ４０をおおって滑べると、アーム５０はグリップ本体２１に接触し保持されるようになっている。アーム５０の取り付け点と曲がり部分５３との間の下部アーム部分５４はノッチから離間した通路に沿って続いていて、ロック部材１０，２０が離間するとアーム５０は横方向にスプリングバックできるようになっており、従ってアームは保持ノーズ４０の外側を第一傾斜壁面６１をおおって通っている。上述したように、ノッチの第二壁面６２は傾斜していて、その傾斜はアーム５０がノッチが持ち上げられはずれることを可能にしていて、従って、アームの前方端部５１が保持ノーズ４０を通りすぎた後に、アームは横方向にスプリングバックできるようになっている。アーム５０の端部５１が第一壁面６１と平行に傾斜して切り欠かれていて、そしてアーム５０の端部５１は部材１０，２０が一体になった状態において壁面６１に近接し、そして、壁面６１と６２との間に位置しそして同じく対面しているアーム５０の面に平行になっているノッチの底面を打撃することができる。
【００１７】
図１に図示されているだっこひも、胸部用ストラップ１、前方部材２及びロック部材１０，２０は、例えば特許文献２に開示されているタイプのものである。
【図１】
2010517668.tif 000003
【図２】
2010517668.tif 000004
【図３】
2010517668.tif 000005
【図４】
2010517668.tif 000006
【国際調査報告】
2010517668.tif 000007
2010517668.tif 000008
2010517668.tif 000009